(57)【要約】【課題】改善された異常監視および電力供給遮断処理構成をもつ電源装置を提供する。【解決手段】漏電、過電流、過電圧、温度その他の各種の異常状態を動作検出部において検出し、検出情報に基づき異常監視部からリセットスイッチ駆動回路に信号を出力し、リセットスイッチをオフとして、異常発生時にＡＣ電源から電源装置への入力を遮断する構成とするとともに、動作検出部、異常監視部等に対する電力を電源装置に備えられた電源回路から出力する。例えば待機用電源回路内のトランスから動作検出部、異常監視部等に対する電力供給を行う。本構成により、安全性の確保が図られ、動作検出部等に対する電力供給要電源を独立して設ける必要がなくなり、コストダウンおよび省エネルギーが実現される。【選択図】  図１
2004274887.tif 000002
【特許請求の範囲】
【請求項１】
交流電源を入力し直流電圧に変換して負荷に対する供給電力を生成する電源回路と、
前記電源回路に対する電力の供給および停止の切り替えを行うリセットスイッチと、
前記電源回路または前記負荷の少なくともいずれかに対応する複数位置に設置された異常検出用の複数の動作検出部と、
前記動作検出部からの検出信号に基づいて異常判定処理を実行する異常監視部と、
前記異常監視部からの制御信号に基づいて前記リセットスイッチを駆動するリセットスイッチ駆動部と、
を有することを特徴とする電源装置。
【請求項２】
前記電源回路は、前記複数の動作検出部、異常監視部、およびリセットスイッチ駆動部に対する電力供給を行う構成であることを特徴とする請求項１に記載の電源装置。
【請求項３】
前記電源回路は、
負荷に対する出力を生成するトランスを有し、
前記トランスは、負荷に対する出力を生成するとともに、前記複数の動作検出部、異常監視部、およびリセットスイッチ駆動部に対する電力用の出力を生成する構成を有することを特徴とする請求項１に記載の電源装置。
【請求項４】
前記電源回路は、
負荷に対する出力を生成するトランスを有し、
前記トランスは、負荷に対する出力を生成するとともに、前記複数の動作検出部、異常監視部、およびリセットスイッチ駆動部に対する電力としての異常処理部駆動電力と、前記電源回路の制御を実行する制御回路駆動電力とを生成する構成であり、前記異常処理部駆動電力と前記制御回路駆動電力は、前記トランスに生成された共通の巻線を介して供給する構成としたことを特徴とする請求項１に記載の電源装置。
【請求項５】
前記電源回路は、主電源回路としての通常動作用電源回路と、副電源回路としての待機用電源回路とを含み、
前記待機用電源回路は、通常動作停止時における制御を実行する前記負荷としてのコントローラに対する電力供給を実行するとともに、前記複数の動作検出部、異常監視部、およびリセットスイッチ駆動部に対する電力供給を行う構成であることを特徴とする請求項１に記載の電源装置。
【請求項６】
前記異常監視部は、前記複数の動作検出部からの検出信号に基づいて異常発生部位を判定し、異常発生部位情報を含む異常情報を電源装置に接続された前記負荷としてのコントローラに出力する構成であることを特徴とする請求項１に記載の電源装置。
【請求項７】
前記動作検出部は、漏電検出部、電圧検出部、電流検出部のうち少なくとも１つを含む構成であることを特徴とする請求項１に記載の電源装置。
【請求項８】
前記動作検出部は、電圧検出部および電流検出部を含み、前記電圧検出部および電流検出部は、前記複数の電源回路および該電源回路から電力の供給される負荷の少なくともいずれかに対応して設定された構成であることを特徴とする請求項１に記載の電源装置。
【請求項９】
前記動作検出部は、温度検出素子、におい検出素子、音検出素子、煙検出素子、計時変化検出素子のいずれかを含む構成であることを特徴とする請求項１に記載の電源装置。
【請求項１０】
前記リセットスイッチは、前記電源装置に対する電力入力部に設けられた構成であることを特徴とする請求項１に記載の電源装置。
【請求項１１】
前記電源装置は、
各々が異なる負荷に対する電力供給を行う複数の電源回路を有し、
前記動作検出部は、前記複数の電源回路または前記複数の電源回路を介して電力供給を行う負荷の少なくともいずれかに対応する複数の位置に設置され、
前記異常監視部は、前記複数の動作検出部からの検出信号に基づいて異常発生部位を判定し、異常発生部位情報を含む異常情報を電源装置に接続された前記負荷としてのコントローラに出力し、
前記コントローラは、前記異常情報に基づいて前記複数の電源回路の前段に設けられたスイッチ素子を選択的にオフする処理を実行する構成であることを特徴とする請求項１に記載の電源装置。
【請求項１２】
前記複数のスイッチ素子は、高速応答可能な半導体素子によって構成されていることを特徴とする請求項１１に記載の電源装置。
【請求項１３】
前記電源回路は、主電源回路としての通常動作用電源回路と、副電源回路としての待機用電源回路と、入力交流電源に基づいて調整交流電力を出力するＡＣ電力調整回路とを含み、
前記動作検出部は、前記待機用電源回路、通常動作用電源回路、およびＡＣ電力調整回路および各回路の出力される負荷各々に対して設定された構成であることを特徴とする請求項１に記載の電源装置。
【発明の詳細な説明】
【０００１】
【発明の属する技術分野】
本発明は電源装置に関する。特に電源回路の動作状態を監視し、異常の発生を検出した際の入力遮断構成を持つ電源装置に関する。
【０００２】
【従来の技術】
複写機、プリンタ等における電源装置においては、近年、安全性向上の要求が年々厳しくなってきている。電源装置には、従来から発煙発火や感電などの危険に結びつく異常動作に対する保護回路が設けられている。保護回路は、各種の異常を検知して、電源装置の動作停止処理を行ったり、商用電源としての交流電源からの入力をヒューズやリレーで遮断する構成が一般的である。
【０００３】
さらに、特に大きな電力を消費する例えば複写装置、プリンタ、ＦＡＸ、スキャナなどの各種画像処理装置では、感電防止を目的とした漏電対策の要求が高まっている。漏電対策のため、多くの場合、画像処理装置などの機器が設置される設備には漏電ブレーカが取り付けられている。しかし、ブレーカにより各種の情報処理装置の電源を一斉に遮断することは、コンピュータよるネットワーク化が急速に進んだ環境においては、重大なデータ損失を発生させる場合があり好ましくない。そこで、各機器に専用の漏電ブレーカを搭載した構成に対する要求が高まっている。
【０００４】
一方、省エネルギーを目的としたパワーマネジメントを行うために、電源装置を複数搭載し、必要な電力のみを効率よく供給システムを搭載した機器が多くなってきている。例えば、複写機、ファクシミリ装置、プリンタなどの画像形成装置においては、通電されているほとんどの時間が待機状態であり、省エネルギーの観点から待機時の電力消費を低減することが大きな課題となっている。
【０００５】
電力消費を低減した画像形成装置の電源構成として、待機時に必要となる負荷例えば画像形成装置の制御を行うコントローラに電力を供給するための第１の電源装置と、モーター等画像形成等に必要な負荷へ電力を供給するための第２の電源装置を個別に設定した構成、すなわち、コントローラに対する電源と、画像形成処理プロセスを実行する機構に対する電源とを別々に設定した構成が提案されている。
【０００６】
このような複数電源構成とした画像形成装置においては、ユーザが、プリント指示を要求した場合、第１の電源、第２の電源の両方から画像形成処理に必要な負荷へ電力が供給される。しかし、ユーザからのプリント指示が無くなると、待機時の電力低減を目的に、第２の電源から負荷（画像形成処理プロセス実行機構）への電力供給を遮断し、コントローラに対する第１の電源装置のみを待機用電源として供給し、ユーザ指示に応じた処理が可能となる。
【０００７】
ちなみに第２の電源装置から負荷への電力供給遮断を実行する構成としては、第１の電源装置によって駆動するスイッチング素子の動作停止や、リレーやＦＥＴ等のスイッチ手段を第１の電源装置によって駆動して入力を遮断する構成が提案されている。さらに待機時の消費電力低減を目的として、待機用電源の効率の向上についても様々な工夫がなされている。
【０００８】
図７を参照して、待機用電源回路及び通常動作用電源さらに定着装置等の交流（ＡＣ）負荷から成る従来の一般的な画像形成装置の電源遮断構成について説明する。
【０００９】
入力端子５００は、漏電ブレーカ５０１、電源スイッチ５０２を介して待機用の電源回路ａ５１１に接続されると共にリレーなどのスイッチ素子５０３、スイッチ素子５０４を介してそれぞれ動作用電源回路ｃ５１２と、ＡＣ電力調整回路５１３を介してＡＣ負荷に接続される。
【００１０】
電源回路ａ５１１は、例えば直流電圧Ｖｏｕｔ１をコントローラ５２０など機器の制御回路部に供給する。電源回路ｃ５１２は、直流電圧Ｖｏｕｔ２を出力し、駆動系装置などへ電力を供給する。電源スイッチ５０２がＯＮされると漏電ブレーカを介して各電源回路に交流電力が供給され、動作を開始する。
【００１１】
電源回路ａ５１１から出力される直流電圧Ｖｏｕｔ１が機器の制御を行うコントローラ５２０に供給されコントローラが動作を開始する。コントローラ５２０は、機器の動作に応じて信号を出力するが、その内の一つに電源回路ｂ５１２に対する入力電源をＯＮ／ＯＦＦするスイッチ素子５０３や、ＡＣ負荷に電力を供給するＡＣ電力調整回路５１３に対する入力電源をＯＮ／ＯＦＦするスイッチ素子５０４への制御信号出力がある。
【００１２】
コントローラ５２０は、安全性確保や省エネを目的に入力の接続・遮断を行う。例えば、待機時には省エネを目的に待機用電源回路（電源回路ａ５１１）のみの電源入力を接続し、その他への入力を遮断する。また、各種異常状態を異常検出部５２１において監視し、例えば、ＡＣ負荷である定着装置が異常温度上昇となった場合等にスイッチ素子５０４をＯＦＦにすることでＡＣ負荷に対する入力を遮断し、機器の動作を停止する。同時に機器の異常を表示してその情報を記憶し、修理時の参考情報とする。
【００１３】
しかし、従来の電源装置構成においては、様々な省電力型素子の使用により電源装置自体の電力損失は小さくなってきているが、安全回路における消費電力、特に漏電ブレーカの電力損失比率が大きくなってきている。
【００１４】
機器の安全性を監視するために、近年のプリンタ、複写機等の画像処理装置の電源装置における安全回路は近年、様々な機能が付加されており、それに伴い消費電力が増大する傾向にある。このような現状において、さまざまな安全基準を達成するための監視回路および電力遮断等の制御回路を消費電力の増加なしに確保することが課題となってきている。
【００１５】
さらに、商用交流電源を入力とし、コントローラと画像処理部に対する２電源構成を持つ電源装置においては、上述したように、通常動作用の電源回路はスイッチを介して商用交流電源と接続し、コントローラの出力するＯＮ／ＯＦＦ信号によりスイッチを導通／遮断して交流電源の供給／遮断を行っているが、通常動作用の電源回路に何らかの異常が発生して電源回路が正常動作できなくなった場合、商用交流電源が電源回路に入力されつづける危険性がある。
【００１６】
また、コントローラにより何らかの異常検出に基づいて電源入力が遮断された後、ユーザがスイッチを手動により操作して交流電源を強制的に接続した場合、交流電源の過電圧などの異常や電源回路内部の異常が発生しているにもかかわらず、交流電源が入力され、その結果、電源回路のある特定部に電気的ストレスがかかり、故障により発煙・発火に至る可能性がある。
【００１７】
なお、こうした対策として電源装置において、想定されるあらゆる故障に対して必要充分なマージンをもった素子や部品を使用することが考えられるが、この場合、定格負荷容量に対して余裕を持った回路構成となるため、電源装置としてサイズが大きくなり、重量が増え、コストが高くなるという問題が発生する。
【００１８】
【発明が解決しようとする課題】
上述したように、複写機・プリンタへの省エネ要求は高まるばかりで、複写機・プリンタにおける待機電力は、さらに減少させるべきであるとされている。しかしながら、現実の機器では電源装置の漏電ブレーカ、その他の安全維持のための監視回路等において、多くの電力を消費しているのが現状であり、安全性などの必要機能を犠牲にせずに漏電ブレーカを含む電源装置の損失を低減することが必須となっている。
【００１９】
また、漏電ブレーカや電力変換装置など、各構成部専用の部品をそれぞれ組み合わせて使用した装置構成とすると、漏電ブレーカと電力変換装置の各々に制御電圧用電源生成回路を構成することが必要となり、コスト面で見ても無駄が発生している。
【００２０】
本発明は、この様な問題に対処するためになされたもので、安全性と省エネ性能の向上をはかった電源装置を提供することを目的とする。すなわち、漏電ブレーカ他の安全維持のための監視回路、電力遮断回路等の構成を改善し、高い安全性と電力消費の低減を可能とする省エネに優れた電源装置を提供することを目的とする。
【００２１】
【課題を解決するための手段】
本発明の第１の側面は、交流電源を入力し直流電圧に変換して負荷に対する供給電力を生成する電源回路と、前記電源回路に対する電力の供給および停止の切り替えを行うリセットスイッチと、前記電源回路または前記負荷の少なくともいずれかに対応する複数位置に設置された異常検出用の複数の動作検出部と、前記動作検出部からの検出信号に基づいて異常判定処理を実行する異常監視部と、前記異常監視部からの制御信号に基づいて前記リセットスイッチを駆動するリセットスイッチ駆動部と、を有することを特徴とする電源装置にある。
【００２２】
本構成によれば、漏電、過電圧、過電流、その他、各種の異常状態を電源装置または前記電源回路を介して電力供給を行う負荷に対応する複数の位置に設置された異常検出用の複数の動作検出部において検出し、検出情報に基づいてリセットスイッチを駆動することで、電源装置全体に対する電力供給遮断が可能となる。
【００２３】
さらに、本発明の電源装置の一実施態様において、前記電源回路は、前記複数の動作検出部、異常監視部、およびリセットスイッチ駆動部に対する電力供給を行う構成であることを特徴とする。
【００２４】
本構成によれば、動作検出部、異常監視部、およびリセットスイッチ駆動部に対する電力供給を行う電力供給部を独立して設けることが不要となり、コストダウンおよび省エネルギーが実現される。
【００２５】
さらに、本発明の電源装置の一実施態様において、前記電源回路は、負荷に対する出力を生成するトランスを有し、前記トランスは、負荷に対する出力を生成するとともに、前記複数の動作検出部、異常監視部、およびリセットスイッチ駆動部に対する電力用の出力を生成する構成を有することを特徴とする。
【００２６】
本構成によれば、電源回路が有するトランスを利用して動作検出部、異常監視部、およびリセットスイッチ駆動部に対する電力供給を行う構成としたので、これらの各部に対する電力供給部を独立して設けることが不要となり、コストダウンおよび省エネルギーが実現される。
【００２７】
さらに、本発明の電源装置の一実施態様において、前記電源回路は、負荷に対する出力を生成するトランスを有し、前記トランスは、負荷に対する出力を生成するとともに、前記複数の動作検出部、異常監視部、およびリセットスイッチ駆動部に対する電力としての異常処理部駆動電力と、前記電源回路の制御を実行する制御回路駆動電力とを生成する構成であり、前記異常処理部駆動電力と前記制御回路駆動電力は、前記トランスに生成された共通の巻線を介して供給する構成としたことを特徴とする。
【００２８】
本構成によれば、制御回路の駆動電力用のトランス巻線構成から得られる電力を動作検出部、異常監視部、およびリセットスイッチ駆動部に対する電力として適用する構成としたので、これら異常処理部に対する電力供給部を独立して設けることが不要となり、コストダウンおよび省エネルギーが実現される。
【００２９】
さらに、本発明の電源装置の一実施態様において、前記電源回路は、主電源回路としての通常動作用電源回路と、副電源回路としての待機用電源回路とを含み、前記待機用電源回路は、通常動作停止時における制御を実行するコントローラに対する電力供給を実行するとともに、前記複数の動作検出部、異常監視部、およびリセットスイッチ駆動部に対する電力供給を行う構成であることを特徴とする。
【００３０】
本構成によれば、通常動作を実行していない待機時においても異常監視を継続して実行可能となり、より高度な安全性を保つことが可能となる。
【００３１】
さらに、本発明の電源装置の一実施態様において、前記異常監視部は、前記複数の動作検出部からの検出信号に基づいて異常発生部位を判定し、異常発生部位情報を含む異常情報を電源装置に接続されたコントローラに出力する構成であることを特徴とする。
【００３２】
本構成によれば、コントローラが異常発生位置情報を取得可能となり、より詳細なエラーメッセージの表示や修理情報の記録などが可能となる。
【００３３】
さらに、本発明の電源装置の一実施態様において、前記動作検出部は、漏電検出部、電圧検出部、電流検出部のうち少なくとも１つを含む構成であることを特徴とする。
【００３４】
本構成によれば、漏電検出、電圧検出、電流検出等に基づく異常検出を確実に判定可能となり、安全性を高めた電源装置が実現される。
【００３５】
さらに、本発明の電源装置の一実施態様において、前記動作検出部は、電圧検出部および電流検出部を含み、前記電圧検出部および電流検出部は、前記複数の電源回路および該電源回路から電力の供給される負荷の少なくともいずれかに対応して設定された構成であることを特徴とする。
【００３６】
本構成によれば、電圧検出、電流検出等に基づく異常検出を電源回路毎に判定可能となり、電源回路個別の対応が可能となる。
【００３７】
さらに、本発明の電源装置の一実施態様において、前記動作検出部は、温度検出素子、におい検出素子、音検出素子、煙検出素子、計時変化検出素子のいずれかを含む構成であることを特徴とする。
【００３８】
本構成によれば、各電源回路および負荷の構成に応じて最適な異常検出処理および安全対策が可能となる。
【００３９】
さらに、本発明の電源装置の一実施態様において、前記リセットスイッチは、前記電源装置に対する電力入力部に設けられた構成であることを特徴とする。
【００４０】
本構成によれば、異常発生時に電源装置に対する入力を大元から遮断可能となり、より安全な電力遮断が実現される。
【００４１】
さらに、本発明の電源装置の一実施態様において、前記電源装置は、各々が異なる負荷に対する電力供給を行う複数の電源回路を有し、前記動作検出部は、前記複数の電源回路または前記複数の電源回路を介して電力供給を行う負荷の少なくともいずれかに対応する複数の位置に設置され、前記異常監視部は、前記複数の動作検出部からの検出信号に基づいて異常発生部位を判定し、異常発生部位情報を含む異常情報を電源装置に接続されたコントローラに出力し、前記コントローラは、前記異常情報に基づいて前記複数の電源回路の前段に設けられたスイッチ素子を選択的にオフする処理を実行する構成であることを特徴とする。
【００４２】
本構成によれば、異常監視部が、異常発生部位情報を含む異常情報をコントローラに出力し、コントローラが、異常発生部位に応じて電源回路の前段に設けられたスイッチ素子を選択的にオフする処理を実行することが可能となる。
【００４３】
さらに、本発明の電源装置の一実施態様において、  前記複数のスイッチ素子は、高速応答可能な半導体素子によって構成されていることを特徴とする。
【００４４】
本構成によれば、各電源回路個別の電力供給ストップを高速に実施でき、異常検出から異常部位に対する電力供給停止を即座に実行可能となる。
【００４５】
さらに、本発明の電源装置の一実施態様において、前記電源回路は、主電源回路としての通常動作用電源回路と、副電源回路としての待機用電源回路と、入力交流電源に基づいて調整交流電力を出力するＡＣ電力調整回路とを含み、前記動作検出部は、前記待機用電源回路、通常動作用電源回路、およびＡＣ電力調整回路および各回路の出力される負荷各々に対して設定された構成であることを特徴とする。
【００４６】
本構成によれば、複数の異なる態様の電源回路を持つ電源装置においても、個々の電源回路の特性および負荷に応じた異常検出素子を配置した適正な異常検出および安全対策としての電源遮断処理が可能となる。
【００４７】
【発明の実施の形態】
以下、本発明の電源装置の詳細について図面を参照しながら説明する。
【００４８】
［実施例１］
図１は、本発明の実施例１に係る電源装置の構成を示すブロック図である。この第１の実施の形態の電源装置は、例えば複写機、プリンタ等の画像形成装置に内蔵される。
【００４９】
画像形成装置の入力端子１０１は、交流電源に接続されている。交流電源は、電源装置１１０に構成された電源回路１１１に供給される。すなわち、電源回路１１１からは、少なくともコントローラ１０３等に対する電力供給が実行される。また、電源回路１１１は、画像形成処理プロセスを実行する画像処理部に対する電力供給も行う。
【００５０】
なお、電源回路としてコントローラ１０３等にのみ電力供給を行う待機用電源と、画像形成処理プロセスを実行する画像処理部に対する電力供給を行う通常動作用電源とを別々に設置する構成としてもよい。なお、このような複数電源回路構成については図、図３を参照して説明する。
【００５１】
電源回路１１１は、トランス、トランスの出力を設定するためのスイッチング素子、ＤＣ−ＤＣコンバータ等で構成され、負荷に応じた出力制御を行う。
【００５２】
本発明の電源装置は、動作検出部１２０において各種の動作状態、異常状態を検出し、異常監視部１３２において、動作検出部１２０からの監視情報を入力し、入力情報に基づいて異常状態であると判定した場合にリセットスイッチ駆動回路１３１に制御信号を出力する。リセットスイッチ駆動回路１３１は、入力制御信号に基づいてリセットスイッチ１０２を駆動、すなわちＯＦＦとして、交流電源を遮断する。
【００５３】
動作検出部１２０は、図１に示すように、漏電検出部１２１、電圧検出部１２３、電流検出部１２２、異常検出部１２４を含む構成であり、これらの検出部、少なくとも電圧検出部１２３、電流検出部１２２、異常検出部１２４は、電源回路１１１または電源回路から電力の供給される負荷に対応して、異常の発生する可能性のある部位毎に複数設定される。
【００５４】
異常監視部１３２は、動作検出部１２０からの入力信号に基づいて異常発生部位を判定し、判定した異常発生部位に基づいて、リセットスイッチ１０２を動作させる制御信号をリセットスイッチ駆動回路１３１に出力する。なお、異常検出部１２４は、温度検出素子、におい検出素子、音検出素子、煙検出素子、素子の計時変化状態を検出する計時変化検出素子等によって構成され、各異常の発生可能性のある部位に取り付けられる。
【００５５】
動作検出部１２０、異常監視部１３２、およびリセットスイッチ駆動回路１３１に対する電力は、電源回路１１１のＤＣ出力部１１５から供給される。電源回路１１１のＤＣ出力部１１５は、例えば電源回路１１１内のトランスに設定される。この構成については図２、図３を参照して後段で説明する。
【００５６】
次に、図１に示す電源装置１１０の内部構成を説明する。動作検出部１２０には、図に示すように漏電検出部１２１、電流検出部１２２、電圧検出部１２３、温度検出など異常を検出する異常検出部１２４が設けられている。以下、各検出部について説明する。
【００５７】
漏電検出部１２１は、１次回路に感電の危険となる漏れ電流が発生しているか否かを検出する回路である。電源回路に供給されるＡＣ電源の行きの電流と帰りの電流との電流差（例えば、人が活電部に触れることによって生じた漏れ電流が電流差になる）を零相変流器（ＺＣＴ）で検知し、更に異常監視部における増幅器（ＡＭＰ）で増幅し、ある基準を超えた時に異常漏電と判断する。
【００５８】
漏電検出信号は、異常監視部１３２に入力され、異常監視部１３２は、リセットスイッチ駆動回路１３１にＯＮ／ＯＦＦ制御信号を出力し、リセットスイッチ駆動回路１３１は、異常監視部１３２からのＯＮ／ＯＦＦ制御信号に基づいてリセットスイッチ１０２を駆動する。
【００５９】
従来の電源装置においては、例えば漏電検出部に対しては、入力電圧から直接電力を常時供給する構成が一般的であったが、本構成においては、電源回路１１１のＤＣ出力部１１５から電力を供給する構成としたので、漏電検出部等に対する独立した電力供給構成を持つことなく、構成の簡素化、および電力損失の大幅な削減が可能となる。
【００６０】
電圧検出部１２３は、電源回路への入力電圧を検出し、予め定められたある基準値を超えた時に過電圧と判断し、異常監視部１３２からリセットスイッチ駆動回路１３１に信号を出力し、リセットスイッチ１０２をＯＦＦする。リセットスイッチ駆動回路１３１は、異常監視部１３２からのＯＮ／ＯＦＦ制御信号に基づいてリセットスイッチ１０２を駆動する。
【００６１】
なお、電圧検出部１２３は、電源回路の異常時に電圧が上昇する可能性のある各部分に設けられる。例えば電源回路１１１およびその出力部に設けることで、電源回路の出力異常を各部位個別に判断することが可能となる。
【００６２】
電流検出部１２２は、異常時に電流が増加する可能性のある回路部分の電流を検出し、異常検出部１２４は、例えば電源回路の異常時に温度が上昇する素子の温度を検出し、検出信号を入力する異常監視部１３２に異常信号が入力された場合に、異常監視部１３２からリセットスイッチ駆動回路１３１に信号を出力し、リセットスイッチ１０２をＯＦＦする。リセットスイッチ駆動回路１３１は、異常監視部１３２からのＯＮ／ＯＦＦ制御信号に基づいてリセットスイッチ１０２を駆動する。
【００６３】
なお、電流検出部１２２、異常検出部１２４も、上述の電圧検出部１２３と同様、電流値異常、あるいは温度上昇等の異常が発生する可能性のある各部分に設けられる。例えば電源回路１１１およびその出力部に設けることで、異常の発生を各部位個別に判断可能となる。
【００６４】
なお、異常監視部１３２において異常と判断された場合は、コントローラ１０３に対して異常情報を出力する。すなわち、異常監視部１３２によって判定された異常発生部位情報を含む異常情報をコントローラ１０３に出力する。コントローラ１０３は入力情報に基づいてディスプレイ（図示せず）に異常状態の発生を示すメッセージ出力等を実行する。
【００６５】
なお、異常検出部１２４は、上述の温度検出のみならず、半導体破損や定着装置などの温度異常による異臭を検知するにおい検知回路や、半導体などが破損するときに発せられる破裂音を検知する音検知回路、電気部品などが故障により発熱し発生する煙を検知する煙検知回路などによって構成され、各異常の発生可能性のある部位にそれぞれの異常検出素子が設置される。また、機器が寿命に達したときに異常として入力を遮断するために、異常監視部の判定を、使用時間に伴って上昇する様々な特性を検知して異常と判断しても良い。例えば部品の温度上昇速度が寿命ともに加速する部品（電解コンデンサなど）の温度検知値をメモリに記憶して上昇速度が速くなったら異常と判定し、異常判定に基づいてリセットスイッチ１０２を動作させる構成としてもよい。
【００６６】
図１に示す構成により、様々な異常の発生した電源回路への電源供給を継続的に停止することができる。本構成によれば、電源回路での異常発生時に電源供給を確実に停止できるので、電源回路においては、定格負荷容量を越えた負荷容量に対応する回路構成とすることなく、定常負荷に対して最適である素子や部品を選定するだけで済みコストダウンが実現される。
【００６７】
また、必要に応じて異常監視部１３２にタイマー回路を内蔵して、漏電検出部１２１、電圧検出部１２３、電流検出部１２２、異常検出部１２４からそれぞれ送られる異常信号の示す値が通常値を継続的に逸脱している期間を測定し、その測定された期間が所定の期間以上に達したとき、異常と判断し、リセットスイッチ駆動回路１３１を動作させてリセットスイッチ１０２をＯＦＦし、入力を遮断する構成としてもよい。本構成によれば、電源装置の起動時等に発生する過渡状態に起因する電源異常の誤検知を防止することができる。
【００６８】
本構成によれば、コントローラ１０３や図示しない駆動回路、電源回路１１１および接続負荷において異常が発生した場合も、動作検出部１２０の検出素子をそれぞれに配置することで、各位置の異常が容易に検出可能であり、このような異常時にも入力電源遮断を行なうことが可能となり、より高い安全性が確保される。
【００６９】
［実施例２］
図２は、本発明に係る電源装置の第２の実施例構成を示すブロック図である。この第２の実施例における電源装置２１０は、待機時に必要となる負荷例えば画像形成装置の制御を行うコントローラに電力を供給する電源回路部ａ（待機用電源）２１１と、モーター等画像形成等に必要な負荷へ電力を供給する電源回路部ｂ（通常動作用電源）２１２との複数の電源回路を持つ構成である。交流電源は、主電源回路としての通常動作用電源回路と、副電源回路としての待機用電源回路に供給され、これらの電源回路を介して様々な負荷に対する電力が供給される。
【００７０】
図２に示す電源装置は、省エネルギーを目的としたパワーマネジメントを行うために、電源装置を複数搭載した構成であり、待機時に必要となる負荷例えば画像形成装置の制御を行うコントローラに電力を供給する電源回路部ａ（待機用電源）２１１と、モーター等画像形成等に必要な負荷へ電力を供給する電源回路部ｂ（通常動作用電源）２１２とを持つ複数の電源回路構成である。
【００７１】
例えばユーザーが、プリント指示を要求した場合、第１の電源、すなわち電源回路部ａ（待機用電源）２１１と、第２の電源、すなわち電源回路部ｂ（通常動作用電源）２１２の両方から画像形成処理に必要な負荷へ電力を供給し、ユーザーからの指示が無くなると、待機時の電力低減を目的に、第２の電源（電源回路部ｂ（通常動作用電源）２１２）から負荷への電力供給を遮断し、第１の電源（電源回路部ａ（待機用電源）２１１）のみに電力を供給する。
【００７２】
第２の電源（電源回路部ｂ（通常動作用電源）２１２）から負荷への電力供給遮断処理は、第１の電源（電源回路部ａ（待機用電源）２１１）から電力の供給されるコントローラ２０３の出力する信号に基づいて、高速応答性を持つ半導体素子として構成されるリレーやＦＥＴ等のスイッチ手段からなるスイッチング素子２１４をオフする処理によって実行される。
【００７３】
上述した第１の実施例の構成と異なる点の１つは、スイッチ素子２１４を介して第２の電源（電源回路部ｂ（通常動作用電源）２１２）を設けたことである。動作検出部２２０の構成は、実施例１と同様であり、漏電検出部２２１、電流検出部２２２、電圧検出部２２３、温度検出、におい検出など様々な異常を検出する異常検出部２２４が設けられている。これらの検出部は、それぞれの異常の発生の可能性がある箇所に散在して設置される。例えば電源回路部ａ（待機用電源）２１１、電源回路部ｂ（通常動作用電源）２１２の出力段に設けられ、各出力の異常を個別に検出し、検出異常に基づいて、異常監視部２３２がリセットスイッチ駆動回路２３１に駆動信号を出力しリセットスイッチ２０２を遮断する。
【００７４】
さらに、異常監視部２３２において異常と判断された場合は、コントローラ２０３に対して異常情報を出力する。すなわち、異常監視部２３２によって判定された異常発生部位情報を含む異常情報をコントローラ２０３に出力する。コントローラ２０３は入力情報に基づいてディスプレイ（図示せず）に異常状態の発生を示すメッセージ出力等を実行する。また、コントローラ２０３は、異常情報入力に基づいて異常発生箇所が電源回路部ｂ（通常動作用電源）２１２の出力段であることが検知された場合には、スイッチ素子２１４をＯＦＦとする駆動信号を出力し、スイッチ素子２１４をＯＦＦとして電源回路部ｂ（通常動作用電源）２１２への電力供給を停止する。スイッチ素子２１４は、リレーやＦＥＴ等の高速応答性を持つスイッチ素子である。
【００７５】
なお、コントローラ２０３自身が異常検出部２０４において実行する安全監視プログラムに基づいて電源回路部ｂ（通常動作用電源）２１２の異常が検知された場合においても、コントローラ２０３はスイッチ素子２１４の駆動信号を出力してスイッチ素子２１４をＯＦＦとして電源回路部ｂ（通常動作用電源）２１２への電力供給を停止する。
【００７６】
また、コントローラ２０３自身が異常検出部２０４において実行する安全監視プログラムに基づいて電源回路部ｂ（通常動作用電源）２１２の異常以外の異常が検知された場合には、コントローラ２０３から異常監視部２３２に対して異常検出信号を出力し、異常検出信号を入力した異常監視部２３２は、リセットスイッチ駆動回路２３１に駆動信号を出力しリセットスイッチ２０２を遮断する。
【００７７】
実施例２においては、動作検出部２１０、異常監視部２３２、リセットスイッチ駆動回路２３１に対する動作電圧を、電源回路ａ２１１のＤＣ出力部２５５から供給する。従って、実施例１と同様、異常監視部等に対して入力電圧から直接電力を常時供給する構成を持つ従来の電源装置と異なり、独立した電力供給構成を持つことなく、構成の簡素化、および電力損失の大幅な削減が可能となる。
【００７８】
なお、さらに第３、第４…など複数の電源回路や負荷装置を接続し、それぞれの電源回路や負荷装置に対して電流検出部２２２、電圧検出部２２３、温度検出、におい検出など様々な異常を検出する異常検出部２２４を設けることで、各部位における異常検出が個別に判定可能となる。また、複数の電源回路の入力段にリレーやＦＥＴ等の高速応答性を持つスイッチ手段からなるスイッチ素子を設けることで高い安全性と省エネ性能の向上を実現できるシステムを組むことが可能である。
【００７９】
［実施例３］
図３は本発明の電源装置の実施例３を示すものであり、実施例２の構成に、さらに、スイッチ素子３６３を介してＡＣ電力により動作するランプ点灯装置３３０を設けた構成である。本実施例３においては、電源回路ａ３１０の構成の詳細を示してある。なお、上述した実施例１，２における電源装置の回路構成も同様の構成を持つ。電源回路ａ３１０は、高周波成分を除去する入力フィルタ回路３１１、入力信号の整流平滑処理を行う１次整流平滑回路３１２、トランス３１３、トランス出力制御のための制御信号、例えばパルス幅信号を出力する制御回路３１４、トランス３１３の一次側のスイッチング処理を実行するスイッチング素子３１５、およびトランス２次側において出力信号の整流平滑処理を行う２次整流平滑回路３１６を有する。２次整流平滑回路３１６の後段にコントローラ３７０等の負荷が接続される。なお、電源回路ｂ３２０も電源回路ａ３１０と同様の構成である。
【００８０】
なお、図に示すように、トランス３１３は、負荷に対する出力を生成するとともに、異常処理部３５０、すなわち、リセットスイッチ駆動回路３５１、漏電検出部３５２、電流検出部３５３、電圧検出部３５４、異常監視部３５５に対して供給する電力を生成する構成を有する。このトランス３１３は、図１、図２に示すＤＣ出力部を構成する。
【００８１】
漏電検出部３５２は、リセットスイッチ３０２の前段もしくは後段に零相変流器（ＺＣＴ）３０３を設置し、交流入力電流の行きと帰りの電流の差を漏電検出部３５２にて検出し、その差があるレベル以上になった時に異常監視部３５５にて漏電と判断する。漏電と判断した場合、異常監視部３５５からリセットスイッチ駆動回路３５１に信号を送りリセットスイッチ３０２をＯＦＦとして、交流電力の入力を遮断する。
【００８２】
また、異常監視部３５５において異常と判断された場合は、コントローラ３７０に対して異常情報を出力する。すなわち、異常監視部３５５によって判定された異常発生部位情報を含む異常情報をコントローラ３７０に出力する。コントローラ３７０は入力情報に基づいてディスプレイ（図示せず）に異常状態の発生を示すメッセージ出力等を実行する。
【００８３】
さらに、コントローラ３７０は、異常情報入力に基づいて異常発生箇所が電源回路部ｂ（通常動作用電源）３２０の出力段であると検知された場合には、スイッチ素子３６２をＯＦＦとする駆動信号を出力し、スイッチ素子３６２をＯＦＦとして電源回路部ｂ（通常動作用電源）３２０への電力供給を停止する。異常情報入力に基づいて異常発生箇所がランプ点灯装置３３０の出力段であると検知された場合には、スイッチ素子３６３をＯＦＦとする駆動信号を出力し、スイッチ素子３６３をＯＦＦとしてランプ点灯装置３３０への電力供給を停止する。スイッチ素子３６２，３６３は、リレーやＦＥＴ等の高速応答性を持つスイッチ素子である。
【００８４】
なお、コントローラ３７０自身が異常検出部３７１において実行する安全監視プログラムに基づいて電源回路部ｂ（通常動作用電源）３２０の異常が検知された場合においては、コントローラ３７０はスイッチ素子３６２の駆動信号を出力してスイッチ素子３６２をＯＦＦとして電源回路部ｂ（通常動作用電源）３２０への電力供給を停止する。異常検出部３７１において実行する安全監視プログラムに基づいて異常発生箇所がランプ点灯装置３３０の出力段であると判定された場合には、スイッチ素子３６３をＯＦＦとする駆動信号を出力し、スイッチ素子３６３をＯＦＦとしてランプ点灯装置３３０への電力供給を停止する。
【００８５】
また、コントローラ３７０自身が異常検出部３７１において実行する安全監視プログラムに基づいて電源回路部ｂ（通常動作用電源）２１２、ランプ点灯装置３３０以外の異常が検知された場合には、コントローラ３７０から異常監視部３５５に対して異常検出信号を出力し、異常検出信号を入力した異常監視部３５５は、リセットスイッチ駆動回路３５１に駆動信号を出力しリセットスイッチ３０２を遮断する。
【００８６】
電流検出部３５３は、入力電流をカレントトランス３５７により検出し、異常監視部３５３に検出値を入力し、異常監視部３５３が異常な電流であるかを判断する。異常と判断した場合、異常監視部３５３からリセットスイッチ駆動回路３５１に信号を送りリセットスイッチ３０２をＯＦＦする。あるいは、各電源回路３１０，３２０，３３０の入力段に設けたスイッチ素子としてのリレー３６１，３６２，３６３をＯＦＦし、入力を遮断する。
【００８７】
このようにカレントトランス３５７により、瞬時的な異常電流を捕らえて入力を遮断する方法と同時に、異極のＡＣ入力ラインにサーキットブレーカ３０４を設置することで実効的（熱的）な過電流においては、サーキットブレーカ３０４を動作させ入力を遮断することができる。この２つの電流遮断方法により様々な電流異常に対して対応することが可能となる。
【００８８】
電圧検出部３５４は、例えば電源回路ａ３１０に対するＡＣ入力電圧を整流平滑する一次整流平滑回路３１２の平滑電圧を検出し、異常監視部３５５において異常な過電圧であるかを判断する。異常の場合、異常監視部３５５からリセットスイッチ駆動回路３５１に信号を送りリセットスイッチ３０２をＯＦＦする。
【００８９】
リセットスイッチ駆動回路３５１、漏電検出部３５２、電流検出部３５３、電圧検出部３５４、異常監視部３５５からなる異常処理部３５０の動作電圧は、例えば図３に示すように、電源回路ａ３１０におけるトランス３１３の一次側に生成した補助巻線から供給される。例えば入力商用電圧が１００Ｖ−ＡＣでトランス３１３の入力巻線に生じる電圧が１４０Ｖのとき、トランスの補助巻線により１０〜１５Ｖ−ＤＣの電圧を生成して異常処理部３５０に対する供給電圧とする。
【００９０】
なお、図３に示すように、トランス３１３の一次側で電源回路ａ３１０を制御する制御回路３１４に対する供給電力として低いＤＣ電圧を生成し、これを異常処理部３５０に対する供給電力に兼用することで、異常処理部３５０に専用の電力供給構成を形成する必要がなく、コストダウン、省エネが実現される。なお、このような兼用構成とせず、トランスの１次側あるいは２次側に異常処理部３５０に対する供給電力を生成するための巻線を形成して必要となるＤＣ電圧を作って供給する構成としてもよい。
【００９１】
図３に示すリセットスイッチ駆動回路３５１、漏電検出部３５２、電流検出部３５３、電圧検出部３５４、異常監視部３５５への電力供給構成は、上述の実施例１，２と同様、電源回路ａ３１０から供給されるので、独立した専用の電力供給構成を省略可能であり、コストダウン、省エネが実現される。
【００９２】
［具体的回路構成例］
図４は、異常監視部、リセットスイッチ駆動回路、リセットスイッチの具体的回路構成例を示す図である。
【００９３】
漏電検出部における漏電検知時には零相変流器３０３に誘起される電圧がダイオード４２１、抵抗４２２を介してオペアンプ（ｏｐ  ａｍｐ１）４１１に入力され、オペアンプ（ｏｐ  ａｍｐ１）４１１に設定された閾値を超えるとオペアンプ（ｏｐ  ａｍｐ１）４１１の出力によりフォトカプラ４１２がＯＮしてリセットスイッチ３０２のコイル４１３を動作させてＡＣ入力を遮断する。
【００９４】
電流検出部における過電流検知時にはカレントトランス３５７に誘起される電圧がダイオード４４１、抵抗４４２を介してオペアンプ（ｏｐ  ａｍｐ２）４３１に入力され、オペアンプ（ｏｐ  ａｍｐ２）４３１に設定された閾値を超えるとオペアンプ（ｏｐ  ａｍｐ２）４３１の閾値を超えるとオペアンプ（ｏｐ  ａｍｐ２）４３１の出力によりフォトカプラ４１２がＯＮしてリセットスイッチ３０２のコイル４１３を動作させてＡＣ入力を遮断する。
【００９５】
電圧検出部における過電圧検知時の処理は以下の通りである。電源回路ａ３１０内部の一時整流平滑回路３１２により整流した電圧が規定より高いときにツェナーダイオード４５１が動作してフォトカプラ４５２がＯＮしてリセットスイッチ３０２のコイル４１３を動作させてＡＣ入力を遮断する。
【００９６】
［処理シーケンス］
次に、本発明の電源装置の動作について、図５および図６のフローチャートを参照して説明する。図５は、本発明の電源装置の立ち上げから電源回路からの電力供給に基づく処理（プリント処理）を実行する場合の処理手順を示すフローである。図６は、異常判定処理の手順を示すフローである。なお、図５および図６とも、上述した実施例２において説明した複数の電源回路をもつ図２の構成を持つ電源装置における処理例として説明する。
【００９７】
まず、図５の電源装置の立ち上げから処理の実行に関する処理手順について説明する。ステップＳ１０１において、リセットスイッチ２０２（図２参照）をＯＮする。これは、ユーザによって手動で処理される。ステップＳ１０２において、電源回路ａ（待機用電源）２１１に電力が供給される。
【００９８】
ステップＳ１０３において、電源回路ａ２１１から電力がコントローラ２０３に供給され、コントローラが立ち上げられる。ステップＳ１０４において、コントローラからの信号が出力され、スイッチ素子２１４がＯＮとなり、ステップＳ１０５において、電源回路ｂ（通常動作用電源）２１２に対して電力が供給される。
【００９９】
ステップＳ１０６においてプリント開始がなされたか否かが判定され、プリント開始がなされた場合は、ステップＳ１０７において、電源回路ｂ（通常動作用電源）２１２を介して各プリント処理部に対する電力が供給されてプリント動作が実行される。ステップＳ１０８において、プリント完了と判定すると、ステップＳ１０６に戻る。
【０１００】
ステップＳ１０６において、プリントが開始されない場合は、ステップＳ１０９に進み待機状態に移行するか否かを判定する。判定処理は、予め定められた時間、非動作状態が継続した場合に待機状態に移行するとの判定処理としてコントローラが実行する。待機状態に移行する場合は、ステップＳ１１０に進み、電源回路ｂ（通常動作用電源）２１２の前段に設けられたスイッチ素子２１４をＯＦＦし、ステップＳ１１１において、電源回路ｂ（通常動作用電源）２１２に対する電力供給を停止する。ステップＳ１１２では、復帰信号の有無を判定し、復帰信号があった場合は、ステップＳ１０４に進み、電源回路ｂ（通常動作用電源）２１２の前段に設けられたスイッチ素子２１４をＯＮし、以下ステップＳ１０５以下を繰り返し実行する。復帰信号は、コントローラが、例えばプリント開始等のユーザ入力に基づいてコントローラ内部で発生する信号である。
【０１０１】
次に、図６を参照して本発明の電源装置において実行する異常判定処理の手順について説明する。本フローも上述した実施例２（図２）を参照して説明する。
【０１０２】
ステップＳ２０１において、異常監視部２３２が動作検出部２２０からの入力に基づいて異常の有無および位置を判定する。なお、上述した実施例中でも説明したように、過電圧、過電流、温度上昇等の異常検出部は、電源装置の各部に設けられており、異常監視部は、各異常検出部からの入力に基づいて異常発生箇所を判定する。
【０１０３】
ステップＳ２０１では、まず、漏電、入力過電圧、入力過電流の発生の有無が判定される。これらの異常状態にあると判定されるとステップＳ２０３に進み、異常監視部２３２からの信号をリセットスイッチ駆動回路２３１に出力し、リセットスイッチ２０２をＯＦＦとする。これらの異常状態にないと判定されると、ステップＳ２０２に進み、電源回路ａ（待機用電源）２１１の異常の有無を判定する。この異常判定は、電源回路ａ２１１内部あるいは出力に対して設けられた電流検出部２２２、電圧検出部２２３、異常検出部２２４からの入力信号に基づいて異常監視部２３２が判定する。
【０１０４】
電源回路ａ２１１に異常有りと判定すると、ステップＳ２０３において、ステップＳ２０３に進み、異常監視部２３２からの信号をリセットスイッチ駆動回路２３１に出力し、リセットスイッチ２０２をＯＦＦとする。
【０１０５】
ステップＳ２０２において、電源回路ａ２１１に異常なしと判定した場合、ステップＳ２０４に進み、電源回路ｂ（通常動作用電源）２１２の異常の有無を判定する。この異常判定は、電源回路ｂ２１２内部あるいは出力に対して設けられた電流検出部２２２、電圧検出部２２３、異常検出部２２４からの入力信号に基づいて異常監視部２３２が判定する。
【０１０６】
電源回路ｂ２１２に異常有りと判定すると、ステップＳ２０５において、異常監視部２３２から、コントローラ２０３に対して電源回路ｂ２１２の異常であることを示す異常情報が出力される。ステップＳ２０６において、コントローヘラ２０３は電源回路ｂ２１２の前段に設けられたスイッチ素子２１４に信号を出力し、スイッチ素子２１４をＯＦＦとして、ステップＳ２０７において、電源回路ｂ２１２に対する電力供給を停止する。
【０１０７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１０８】
【発明の効果】
以上、記述したように本発明の電源装置によれば、漏電、過電流、過電圧、温度その他の各種の異常状態を動作検出部において検出し、検出情報に基づき異常監視部からリセットスイッチ駆動回路に信号を出力し、リセットスイッチのオフ動作を実行して、異常発生時にＡＣ電源から電源装置への入力を遮断する構成とするとともに、動作検出部、異常監視部等に対する電力を電源装置に備えられた電源回路から出力する構成としたので、安全性の確保が図られるとともに、動作検出部、異常監視部等に対する電力供給するための電源装置を独立して設ける必要がなくなり、コストダウンおよび省エネルギーが実現される。
【０１０９】
本発明の電源装置によれば、電源装置に備えた電源回路、例えば待機用電源回路内に予め設置されているトランスから動作検出部、異常監視部等に対する電力供給を行う構成としたので、動作検出部、異常監視部等に対する電力供給するための電源装置を独立して設ける必要がなくなり、コストダウンおよび省エネルギーが実現される。
【０１１０】
本発明の電源装置によれば、動作検出部、異常監視部において検出した異常情報に基づいてリセットスイッチのオフ処理を実行するとともに、異常情報をコントローラに伝達し、コントローラにおいて電源回路前段に設けたリレースイッチ、ＦＥＴ等の高速応答可能なスイッチ素子を動作させて電源回路への電力供給を停止する構成としたので、二重の安全対策による高度な安全性が保持される。
【図面の簡単な説明】
【図１】本発明の電源装置の構成例（実施例１）を示す図である。
【図２】本発明の電源装置の構成例（実施例２）を示す図である。
【図３】本発明の電源装置の構成例（実施例３）を示す図である。
【図４】本発明の電源装置の構成例における具体的回路構成例を示す図である。
【図５】本発明の電源装置における立ち上げ、動作処理シーケンスを説明するフローチャートを示す図である。
【図６】本発明の電源装置における異常判定処理シーケンスを説明するフローチャートを示す図である。
【図７】従来の電源装置の構成例を示す図である。
【符号の説明】
１０１  入力端子、１０２  リセットスイッチ、
１０３  コントローラ、１１０  電源装置、
１１１  電源回路、  １２０  動作検出部、１２１  漏電検出部
１２２  電流検出部、１２３  電圧検出部
１２４  異常検出部、１３１  リセットスイッチ駆動回路
１３２  異常監視部、  ２０１  入力端子、２０２  リセットスイッチ
２０３  コントローラ、２０４  異常検出部
２１０  電源装置、  ２１１  電源回路部ａ（待機用電源）、
２１２  電源回路部ｂ（通常動作用電源）、２１４  スイッチ素子
２２０  動作検出部、２２１  漏電検出部
２２２  電流検出部、２２３  電圧検出部
２２４  異常検出部、２３１  リセットスイッチ駆動回路
２３２  異常監視部、  ３０１  入力端子、３０２  リセットスイッチ
３０３  零相変流器、３０４  サーキットブレーカ
３１０  電源回路、３１１  入力フィルタ
３１２  １次整流平滑回路、３１３  トランス
３１４  制御回路、３１５  スイッチング素子、
３１６  ２次整流平滑回路、３２０  電源回路ｂ
３３０  ランプ点灯装置、３５１  リセットスイッチ駆動回路
３５２  漏電検出部、３５３  電流検出部、３５４  電圧検出部
３５５  異常検出部、３５７  カレントトランス、
３６２，３６３  リレースイッチ
４１１  オペアンプ、４１２  フォトカプラ
４２１  ダイオード、４２２  抵抗
４３１  オペアンプ、４４１  ダイオード
４４２  抵抗、４５１  ツェナーダイオード
４５２  フォトカプラ、
５０１  入力端子、５０２  電源スイッチ
５０３，５０４  スイッチ素子、５１１  電源回路ａ
５１２  電源回路ｃ、５１３  ＡＣ電力調整回路
５２０  コントローラ、５２１  異常監視部
【図１】
2004274887.tif 000003
【図２】
2004274887.tif 000004
【図３】
2004274887.tif 000005
【図４】
2004274887.tif 000006
【図５】
2004274887.tif 000007
【図６】
2004274887.tif 000008
【図７】
2004274887.tif 000009